(57)【要約】【課題】  鉄道のプラットホームから線路内に落とした物を挟んで掴み上げる際に、落とされた多種多様の物を、いずれも短時間で確実に掴み上げることができるプラットホーム用掴み具を提供することを目的とする。【解決手段】  ロッド２の前端に、一対の掴み部材４，４が回転軸線を中心に回転可能に取り付けられ、各掴み部材４，４はそれぞれサブ掴み部材１３，１３を有し、サブ掴み部材１３，１３は、両掴み部材同士が協働して独自に物を挟むことに干渉しない第一の位置と、各サブ掴み部材１３，１３の前端部１７が掴み部材の前端縁２１よりも前に突き出し、両サブ掴み部材同士が協働して独自に物を挟むことができる第二の位置を取ることが可能に掴み部材４，４に取り付けられている。【選択図】  図３
2018108622.tif 000002
【特許請求の範囲】
【請求項１】
線路内に落とした物を挟んで掴み上げるためのプラットホーム用掴み具であって、ロッドの前端に、一対の掴み部材が回転軸線を中心に回転可能に取り付けられ、各掴み部材はそれぞれサブ掴み部材を有し、サブ掴み部材は、両掴み部材同士が協働して独自に物を挟むことに干渉しない第一の位置と、各サブ掴み部材の前端部が掴み部材の前端縁よりも前に突き出し、両サブ掴み部材同士が協働して独自に物を挟むことができる第二の位置を取ることが可能に掴み部材に取り付けられていることを特徴とするプラットホーム用掴み具。
【請求項２】
サブ掴み部材の前端部の横幅は、掴み部材の前端部の横幅よりも狭くなるように形成されている請求項１記載のプラットホーム用掴み具。
【請求項３】
サブ掴み部材の少なくとも前端部は、薄板状に形成されている請求項１又は請求項２記載のプラットホーム用掴み具。
【請求項４】
サブ掴み部材は、前記第一の位置と前記第二の位置との間を摺動可能に掴み部材に取り付けられている請求項１乃至請求項３のいずれか一項記載のプラットホーム用掴み具。
【請求項５】
サブ掴み部材は、掴み部材の外面上を前後方向に摺動可能に取り付けられ、各掴み部材の前方部の外面は、掴み部材の前端縁に行くに従って、サブ掴み部材の摺動方向に対して徐々に内側に寄るように傾斜し、薄板状に形成されたサブ掴み部材の前方部は、サブ掴み部材の前端縁に行くに従って、前記掴み部材の前方部の外面と同じ角度で同じ向きに傾斜し、サブ掴み部材が最も後方に位置しているときに、掴み部材の前方部の外面とサブ掴み部材の前方部の内面が接する請求項４記載のプラットホーム用掴み具
【発明の詳細な説明】
【技術分野】
【０００１】
本発明は、鉄道のプラットホームから線路内に落とした物を挟んで掴み上げるためのプラットホーム用掴み具に関する。
【背景技術】
【０００２】
特許文献１に記載されているように、被把持物を挟む際に、固定把持部と可動把持部とで挟むことができると共に、可動把持部とサブ把持体とでも挟むことができるようにしたヤットコがある。このヤットコは、被把持物の種類に対応すべく、二種類の挟み面を選択することができるものである。また、このヤットコの二種類の挟み面を選択するそれぞれの掴み方は、共に可動把持部を使用することは共通しており、相手方を固定把持部とサブ把持体とのいずれかとすることによって、二種類の挟み面を選択することができるが、その二種類の挟む位置はほぼ同じ位置である。したがって、このヤットコの構成を有する掴み具を使用して、線路内に落とした物を掴み上げるときに、大きさの異なる多種多様の物に十分に対応できない虞があり、また、線路に敷設された砕石の間に落ちた物についても十分に対応できない虞がある。
【０００３】
また、特許文献１の図面に示されているように、サブ把持体は左右側板部を有しており、その左右側板部が固定把持部を両側から挟むように取り付けられている。これは、サブ把持体に左右側板部を形成せず、固定把持部と同じように側板部を有しない構成とすると、サブ把持体と固定把持部が干渉して二種類の挟み方ができないからである。また、サブ把持体が被把持物を挟むことに不都合がないのは、固定把持部と可動把持部がどちらもサブ把持体の左右側板部の間にあるからである。したがって、左右の両側板部で挟むことが困難な物、例えば左右側板部の間隔よりも短い物に対しては、一方の側板部を使用して挟むことになるので、即座に挟むことが容易でない。したがって、サブ把持体でしか対応できない物が線路内に落とされたときには、挟む作業に手間がかかって次に来る電車のために作業が途中で中止され、新たに最初から作業を開始することによって、同じ作業を繰り返すことになり非常に時間がかかる虞がある。
【先行技術文献】
【特許文献】
【０００４】
【特許文献１】特開２００９−６０７５５号公報
【発明の概要】
【発明が解決しようとする課題】
【０００５】
本発明は、鉄道のプラットホームから線路内に落とした物を挟んで掴み上げる際に、落とされた多種多様の物を、いずれも短時間で確実に掴み上げることができるプラットホーム用掴み具を提供することを目的とする。
【課題を解決するための手段】
【０００６】
請求項１記載の発明は、ロッドの前端に、一対の掴み部材が回転軸線を中心に回転可能に取り付けられ、各掴み部材はそれぞれサブ掴み部材を有し、サブ掴み部材は、両掴み部材同士が協働して独自に物を挟むことに干渉しない第一の位置と、各サブ掴み部材の前端部が掴み部材の前端縁よりも前に突き出し、両サブ掴み部材同士が協働して独自に物を挟むことができる第二の位置を取ることが可能に掴み部材に取り付けられている構成である。
【０００７】
請求項２記載の発明は、サブ掴み部材の前端部の横幅が、掴み部材の前端部の横幅よりも狭くなるように形成されている構成である。
【０００８】
請求項３記載の発明は、サブ掴み部材の少なくとも前端部が、薄板状に形成されている構成である。
【０００９】
請求項４記載の発明は、サブ掴み部材が、前記第一の位置と前記第二の位置との間を摺動可能に掴み部材に取り付けられている構成である。
【００１０】
請求項５記載の発明は、サブ掴み部材が、掴み部材の外面上を前後方向に摺動可能に取り付けられ、各掴み部材の前方部の外面は、掴み部材の前端縁に行くに従って、サブ掴み部材の摺動方向に対して徐々に内側に寄るように傾斜し、薄板状に形成されたサブ掴み部材の前方部は、サブ掴み部材の前端縁に行くに従って、前記掴み部材の前方部の外面と同じ角度で同じ向きに傾斜し、サブ掴み部材が最も後方に位置しているときに、掴み部材の前方部の外面とサブ掴み部材の前方部の内面が接する構成である。
【発明の効果】
【００１１】
請求項１記載の発明は、線路内に落とした物を挟んで掴み上げるためのプラットホーム用掴み具であって、掴み部材に取り付けられたサブ掴み部材は、両掴み部材同士が協働して独自に物を挟むことに干渉しない第一の位置と、各サブ掴み部材の前端部が掴み部材の前端縁よりも前に突き出し、両サブ掴み部材同士が協働して独自に物を挟むことができる第二の位置を取ることが可能に掴み部材に取り付けられている。したがって、掴み部材による挟み位置と異なる位置で、掴み部材の挟み方とは異なるサブ掴み部材独自の挟み方を用いることができる。これにより、プラットホームから落とした物を掴み上げる場合、落とした物の種類あるいは落とした場所によって、より適した挟み方法を選択可能とすることができる。その結果、落とした物を迅速に掴み上げることを可能とすることができる。
【００１２】
請求項２記載の発明は、サブ掴み部材の前端部の横幅が、掴み部材の前端部の横幅よりも狭くなるように形成されている。したがって、掴み部材で挟むことができない狭い場所、例えば、線路に敷設された砕石の間に落ちた小物などを挟んで掴み上げることができる。
【００１３】
請求項３記載の発明は、サブ掴み部材の少なくとも前端部が、薄板状に形成されている。比較的薄い書籍を砕石の上に落としたときには、一方の掴み部材を書籍と砕石の間に挿し入れることが困難であるから、書籍を両縁部から挟まざるを得ない。しかし、書籍が薄い文庫本であると、両縁部から挟むこと自体が困難であり、即座に掴み上げることが困難である。そこで、サブ掴み部材の先端部が薄板状に形成されていれば、一方のサブ掴み部材の先端部を書籍とその下の砕石の間に容易に挿し入れることができるから、書籍をその表紙と裏表紙の上から挟んで迅速に書籍を掴み上げることができる。
【００１４】
請求項４記載の発明は、サブ掴み部材が、前記第一の位置と前記第二の位置との間を摺動可能に掴み部材に取り付けられている。したがって、サブ掴み部材の移動を簡単且つ迅速に行うことができる。
【００１５】
請求項５記載の発明は、サブ掴み部材が、掴み部材の外面上を前後方向に摺動可能に取り付けられ、各掴み部材の前方部の外面は、掴み部材の前端縁に行くに従って、サブ掴み部材の摺動方向に対して徐々に内側に寄るように傾斜し、薄板状に形成されたサブ掴み部材の前方部は、サブ掴み部材の前端縁に行くに従って、前記掴み部材の前方部の外面と同じ角度で同じ向きに傾斜し、サブ掴み部材が最も後方に位置しているときに、掴み部材の前方部の外面とサブ掴み部材の前方部の内面が接する。したがって、サブ掴み部材を掴み部材の前端縁よりも前に付き出してサブ掴み部材を使用するときに、落とした物をサブ掴み部材の前端縁で挟むのではなく、その前端縁よりも後ろ側の部分で挟むときに、挟まれた物を掴み部材の前端縁が支持するので、掴み上げる途中で物を落とすことを防止できる。
【図面の簡単な説明】
【００１６】
【図１】本発明の正面図である。
【図２】掴み部材の使用状態図である。
【図３】サブ掴み部材の使用状態図である。
【図４】掴み部材の回転機構を示す主要部断面図である。
【図５】サブ掴み部材の掴み部材への取り付け構造を示す斜視図である。
【発明を実施するための形態】
【００１７】
次に、本発明の実施例について図を参照しながら説明する。掴み具１は、ロッド２の前端に、接続ヘッド３を介して一対の掴み部材４，４が、回転軸線を中心に回転可能に取り付けられている。図１に示すように、掴み部材４，４は通常開いた状態を保ち、レバー５を引くことにより閉じられる。
【００１８】
図４に示すように、掴み部材４，４は、接続ヘッド３に取り付けられた支軸６，６を中心に回転可能に支持されている。接続ヘッド３の基部７，７に突板８，８が設けられ、それらの突板８，８と接続ヘッド３の内面との間には、コイルスプリング９，９が取り付けられている。コイルスプリング９，９は、掴み部材４，４を常時開く方向に付勢している。
【００１９】
さらに、接続ヘッド３の基部７，７には、腕１０，１０が設けられ、それらの腕先にはリンク１１，１１が枢支されている。双方のリンク１１，１１の端部同士も枢支され、その枢支された端部からワイヤ１２が後方に延び、ワイヤ１２の端部はレバー５に連結されている。レバー５を引くことによりワイヤ１２が後方に引かれ、リンク１１，１１も後方に移動する。さらに、リンク１１，１１の移動により、腕１０，１０の腕先も後方に引かれるから、これに伴って掴み部材４，４は支軸６，６を中心にそれぞれ閉じる方向に回転する。
【００２０】
図５に示すように、掴み部材４の外面に、サブ掴み部材１３を摺動可能に嵌合する摺動溝１４が形成されている。後述するサブ掴み部材１３は、この摺動溝１４に嵌合し、摺動溝１４に沿って摺動する。摺動溝１４の底面には、ネジ穴１５が設けられている。掴み部材４の前方部の外面には、摺動溝１４と連通する傾斜溝２０が形成されている。この傾斜溝２０は、掴み部材４の前端縁２１方向に行くに従って、サブ掴み部材１３の摺動方向、すなわち摺動溝１４の方向に対して徐々に内側に寄るように傾斜している。すなわち、図５において下向きに傾斜している。掴み部材４の、物を挟むための内向きの前端面１６の表面は図に表われていないが、キザキザを有する平面に形成されている。なお、掴み部材４の横幅は約３０ｍｍであるが、この数値に限定されるものではない。この数値より小さくても大きくてもよい。
【００２１】
サブ掴み部材１３は全体が薄板状に形成され、その厚みは約３ｍｍである。厚みがこの数値に限定されないことは勿論であり、約１ｍｍから約５ｍｍの薄板状でもよく、好ましくは約１．５ｍｍから約４ｍｍの厚みがよい。また、５ｍｍを超えるやや厚手状の厚みであってもよい。
【００２２】
サブ掴み部材１３の前方部は屈曲部２３を介して内向きに屈曲し、前端部１７は、その横幅がサブ掴み部材１３の横幅よりも狭くなるように形成されている。サブ掴み部材１３の横幅は約２０ｍｍであり、その前端部１７の横幅は約１２ｍｍであるが、本発明がこれらの数値に限定されないことは勿論である。
【００２３】
また、サブ掴み部材１３には、長孔１８が形成されている。サブ掴み部材１３を掴み部材４の摺動溝１４に嵌合したときに、止めネジ１９をその長孔１８を介してネジ孔１５に螺合させることにより、サブ掴み部材１３を掴み部材４に固定することができる。止めネジ１９を緩めることにより、サブ掴み部材１３を摺動溝１４内で摺動させることができるので、摺動溝１４の横幅はサブ掴み部材１３の横幅よりもわずかに広く形成されている。本発明におけるサブ掴み部材１３の摺動構造は、この実施例に限定されるものではない。また、長孔１８によりサブ掴み部材１３を摺動させる構造に代え、複数の丸孔を設けてサブ掴み部材１３を付け外すことによって位置を変える構造にしてもよい。すなわち、サブ掴み部材１３の位置を変えるときは、止めネジ１９を掴み部材４から外すと共にサブ掴み部材１３を外し、他の位置にサブ掴み部材１３を位置決めしてから、止めネジ１９で再度固定するものであってもよい。すなわち、サブ掴み部材１３を摺動させる構造ではない。その場合、サブ掴み部材１３が最も前側にある位置と、最も後ろ側にある位置と、そのほか数カ所に固定できるように丸孔の位置が決定されることが好ましい。
【００２４】
図２に示すように、サブ掴み部材１３が最も後ろ側に位置にあるとき、サブ掴み部材１３の前端縁２２は、掴み部材４の前端縁２１よりも前に突出しない。したがって、サブ掴み部材１３，１３は、掴み部材４，４で物を挟むことに干渉しない。図２の実線で表わされた掴み部材１３，１３が最も開いた状態を示すものであり、開かれた口の上下幅は約１５０ｍｍである。この幅により、５００ｍｍペットボトルを掴み上げることができる。しかし、本発明はこの数値に限定されるものではない。
【００２５】
図３に示すように、サブ掴み部材１３が最も前側の位置にあるとき、その前端部１７，１７は掴み部材４，４の前端縁２１，２１よりも前に突き出す。これにより、サブ掴み部材１３，１３は、その前端縁２２，２２により独自に物を挟んで掴み上げることができる。例えば、線路に敷設された砕石の上に文庫本を落とした場合、一方のサブ掴み部材１３の前端縁２２を砕石の隙間に挿し入れることによって、双方のサブ掴み部材１３，１３の前端縁２２，２２で文庫本を挟むことができるから、容易に文庫本を掴み上げることができる。また、砕石の隙間が狭くても、サブ掴み部材１３の前端部１７の横幅がサブ掴み部材の他の部分よりも狭く形成されているので、前端縁２２をその狭い隙間に容易に挿し込むことができる。
【００２６】
さらに、サブ掴み部材１３を使用して別の掴み方ができる。この掴み方についてスマートフォンを例に取って説明する。スマートフォンの厚みは、６．５ｍｍ〜１０ｍｍのものがほとんどであり、かなり薄く形成されている。したがって、砕石の上に平らに置かれたスマートフォンの２つの側面を、掴み部材４，４で短時間に挟むことは、スマートフォンが薄く形成されていることもあり容易でない。また、掴み部材４の平面と平面の間で挟むから不安定である。さらに、スマートフォンの表面がやや斜めになった状態で挟んだ場合は、掴み部材４，４の間で回転し、落としてしまう虞がある。また、スマートフォンの側面を挟む代わりに、スマートフォンのタッチパネル面と裏面とを挟んで掴み上げる場合は、タッチパネルを破損させる虞がある。
【００２７】
これに対して、本発明では、まず、図３に示すサブ掴み部材１３，１３が最も前にある位置からサブ掴み部材１３，１３少し後ろに移動させ、掴み部材４の前端縁２１とサブ掴み部材１３の前方部の屈曲部２３の水平方向の距離を約６ｍｍとする。６ｍｍは目分量でもよく、掴み部材４の外面に目盛を付けてもよい。サブ掴み部材１３，１３をそのように移動させてから、スマートフォンの２つの側面をサブ掴み部材１３，１３の内面で挟む。すると、スマートフォンの厚みが前述した数値であるから、スマートフォンの側面の角（かど）がサブ掴み部材１３の傾斜したの内面に当たり、その角と反対側の表面が掴み部材４の前端縁２１に当たる。これにより、スマートフォンは、掴み部材４，４とサブ掴み部材１３，１３により表裏両側から支持されるので、安定した状態で挟まれるのである。これにより、挟んだあとで落とす虞がないのである。また、掴み部材４の前端縁２１がスマートフォンの表面に当たるが、この前端縁２１がスマートフォンの表面を押す力は、掴み部材４，４の挟む方向の力よりも小さいので、スマートフォンのタッチパネルを破損する虞がない。このように、本発明では、掴み部材４，４とサブ掴み部材１３，１３を同時に使用した掴み方ができる。なお、この掴み方を使用せず、サブ掴み部材１３，１３の前端縁２２，２２のみで、スマートフォンのタッチパネル面と裏面を挟んだ場合でも、大きな重い物も掴み上げることを予定している掴み部材４，４で挟んだ場合より微妙な調節が可能であり、スマートフォンのタッチパネルを破損させる虞がはるかに小さいので、サブ掴み部材１３，１３の利用価値は大きいと言える。
【００２８】
掴み部材４とサブ掴み部材１３は共にステンレス鋼で形成されているが、他の金属でもよく、例えばアルミニウムであってもよく、鉄にクロムメッキをしたものであってもよい。そのほか、金属以外の材料であってもよく、例えば、硬質プラスチックであってもよい。
【００２９】
なお、本実施例のロッドは長さが一定で伸縮させることができないが、伸縮可能なロッドとしてもよい。また、掴み具を使用する際、掴み具を上方に向けて持ったときに、鉄道の架線に触れて感電する虞がある。そこで、感電を防止するために、掴み具を所定の角度以上に上方に向けたときに、警告音を発する装置を接続ヘッド３内などに設置してもよい。
【産業上の利用可能性】
【００３０】
必要に応じサブ掴み部材を使用することにより、鉄道のプラットホームから線路内に落とされた多種多様の物を、いずれも短時間で確実に掴み上げることができる。
【符号の説明】
【００３１】
１  掴み部材、    ２  ロッド、    ３  接続ヘッド、    ４  掴み部材、    ５  レバー、    ６  支軸、    ７  接続ヘッドの基部、  ８  突板、    ９  コイルスプリング、    １０  腕、    １１  リンク、    １２  ワイヤ、    １３  サブ掴み部材、    １４  摺動溝、    １５  ネジ孔、    １６  前端面、    １７  前端部、    １８  長孔、    １９  止めネジ、    ２０  傾斜溝、    ２１  前端縁、    ２２  前端縁、    ２３  屈曲部
【図１】
2018108622.tif 000003
【図２】
2018108622.tif 000004
【図３】
2018108622.tif 000005
【図４】
2018108622.tif 000006
【図５】
2018108622.tif 000007